(57)【要約】【課題】インターネットファクシミリ通信機能とダイレクトＳＭＴＰ通信機能を備えた使い勝手のよいインターネットファクシミリ装置を提供する。【解決手段】  ファクシミリ通信モードの場合に（Ｓ１：ＹＥＳ）、リアルタイム送信設定が有効であれば（Ｓ２：ＹＥＳ）スキャナ送信機能によりファクシミリ通信を行い（Ｓ３）、リアルタイム送信設定が無効であれば（Ｓ２：ＮＯ）メモリ送信機能によりファクシミリ通信を行う（Ｓ４）。また、電子メール通信モードの場合に（Ｓ５：ＹＥＳ）、リアルタイム送信設定が有効であれば（Ｓ６：ＹＥＳ）電話帳に登録されているグローバルＩＰアドレスに基づいてダイレクトＳＭＴＰ送信機能により電子メール通信を行い（Ｓ７）、リアルタイム送信設定が無効であれば（Ｓ６：ＮＯ）前記電話帳に登録されているメールアドレスに基づいてインターネットファクシミリ送信機能により電子メール通信を行う（Ｓ８）。【選択図】図３
2008263334.tif 000002
【特許請求の範囲】
【請求項１】
ファクシミリ通信におけるスキャナ送信機能とメモリ送信機能、及び、電子メール通信におけるダイレクトＳＭＴＰ送信機能とインターネットファクシミリ送信機能を備えたインターネットファクシミリ装置であって、
ファクシミリ通信モードの場合に、
リアルタイム送信設定が有効であればスキャナ送信機能によりファクシミリ通信を行い、リアルタイム送信設定が無効であればメモリ送信機能によりファクシミリ通信を行い、
電子メール通信モードの場合に、
リアルタイム送信設定が有効であれば電話帳に登録されているグローバルＩＰアドレスに基づいてダイレクトＳＭＴＰ送信機能により電子メール通信を行い、リアルタイム送信設定が無効であれば前記電話帳に登録されているメールアドレスに基づいてインターネットファクシミリ送信機能により電子メール通信を行うことを特徴とする、インターネットファクシミリ装置。
【請求項２】
ダイレクトＳＭＴＰ送信機能により電子メール通信を行う際に、相手先のメールアドレスのみが前記電話帳に登録されている場合には、当該メールアドレスのドメイン名に基づいてＤＤＮＳサーバから相手先のグローバルＩＰアドレスを取得することを特徴とする請求項１に記載のインターネットファクシミリ装置。
【請求項３】
ダイレクトＳＭＴＰ送信機能による通信を行う場合には、前記電話帳に登録されている宛先のうちグローバルＩＰアドレス及び／又はメールアドレスが記憶されている宛先のみの一覧を表示装置に表示して宛先の選択を促し、インターネットファクシミリ送信機能による通信を行う場合には、前記電話帳に登録されている宛先のうちメールアドレスが記憶されている宛先のみの一覧を表示装置に表示して宛先の選択を促すことを特徴とする請求項２に記載のインターネットファクシミリ装置。
【発明の詳細な説明】
【技術分野】
【０００１】
本発明は、インターネットファクシミリ装置に関し、詳しくは、ファクシミリ通信におけるスキャナ送信機能とメモリ送信機能、及び、電子メール通信におけるダイレクトＳＭＴＰ（Simple Mail Transport Protocol）送信機能とインターネットファクシミリ送信機能を備えたインターネットファクシミリ装置に関するものである。
【背景技術】
【０００２】
従来、インターネットファクシミリ通信のようにＩＰネットワークを利用して通信コストを抑えるとともに、通信のリアルタイム性をも実現したダイレクトＳＭＴＰ通信機能を備えたインターネットファクシミリ装置が発明されている（例えば、非特許文献１参照。）。このダイレクトＳＭＴＰ通信機能は、ＩＴＵ−Ｔ Ｔ．３７勧告に準拠したインターネットファクシミリ通信の拡張機能であり、送付先の相手装置のグローバルＩＰアドレス宛てに直接的にＴＩＦＦ−Ｓ方式の画像ファイルが添付された電子メールを送信するものである。また、Ｔ．３７方式以外のダイレクトＳＭＴＰ通信機能としては、相手装置のグローバルＩＰアドレスが接続のたびに変わる場合において、接続のたびに変わるグローバルＩＰアドレスと、登録されているドメイン名（インターネットファクシミリ装置の名前）とを自動的に結びつける役割を担うＤＤＮＳ（Dynamic Updates in the Domain Name System）サーバに、送付先の相手装置のグローバルＩＰアドレスを問い合わせ、問い合わせに応じて得られたグローバルＩＰアドレス宛てに直接的に電子メールを送信するものがある。
【非特許文献１】テレコミュニケーション NOVEMBER 2004 (第14-15頁)、インターネット<ＵＲＬ：http://www.telecomi.biz/pdfs/info_0411_faprico.pdf>、〔平成19年4月4日検索〕
【発明の開示】
【発明が解決しようとする課題】
【０００３】
このようなダイレクトＳＭＴＰ通信機能を備えたインターネットファクシミリ装置は、インターネットファクシミリ通信機能をも備えている。そして、１つの相手先に対して、ダイレクトＳＭＴＰ通信機能とインターネットファクシミリ通信機能とを使い分けたい場合には、１の電話帳にインターネットファクシミリ通信用のメールアドレスが登録され、他の電話帳にダイレクトＳＭＴＰ通信用のグローバルＩＰアドレスが登録されている。したがって、通信に際しては、これら２つの電話帳を選択し、選択した電話帳を用いて宛先を設定しなければならず、使い勝手が悪いという問題があった。また、電話帳の１件の宛先にメールアドレスとグローバルＩＰアドレスとの両方を登録できる場合もあるが、この場合も、メールアドレスとグローバルＩＰアドレスのどちらを使用するかを選択できず使い勝手が悪いという問題があった。
【０００４】
そこで、本発明は、インターネットファクシミリ通信機能とダイレクトＳＭＴＰ通信機能を備えた使い勝手のよいインターネットファクシミリ装置を提供することを目的とする。
【課題を解決するための手段】
【０００５】
上記目的を達成するために、請求項１に記載のインターネットファクシミリ装置は、ファクシミリ通信におけるスキャナ送信機能とメモリ送信機能、及び、電子メール通信におけるダイレクトＳＭＴＰ送信機能とインターネットファクシミリ送信機能を備えたインターネットファクシミリ装置であって、ファクシミリ通信モードの場合に、リアルタイム送信設定が有効であればスキャナ送信機能によりファクシミリ通信を行い、リアルタイム送信設定が無効であればメモリ送信機能によりファクシミリ通信を行い、電子メール通信モードの場合に、リアルタイム送信設定が有効であれば電話帳に登録されているグローバルＩＰアドレスに基づいてダイレクトＳＭＴＰ送信機能により電子メール通信を行い、リアルタイム送信設定が無効であれば前記電話帳に登録されているメールアドレスに基づいてインターネットファクシミリ送信機能により電子メール通信を行うことを特徴としている。
【０００６】
この構成によれば、ファクシミリ通信におけるスキャナ送信機能とメモリ送信機能、及び、電子メール通信におけるダイレクトＳＭＴＰ送信機能とインターネットファクシミリ送信機能を備えたインターネットファクシミリ装置であって、ファクシミリ通信モードの場合に、リアルタイム送信設定が有効であればスキャナ送信機能によりファクシミリ通信が行われ、リアルタイム送信設定が無効であればメモリ送信機能によりファクシミリ通信が行われ、電子メール通信モードの場合に、リアルタイム送信設定が有効であれば電話帳に登録されているグローバルＩＰアドレスを宛先にダイレクトＳＭＴＰ送信機能により電子メール通信が行われ、リアルタイム送信設定が無効であれば前記電話帳に登録されているメールアドレスを宛先にインターネットファクシミリ送信機能により電子メール通信が行われる。なお、ダイレクトＳＭＴＰ送信機能は、インターネットファクシミリ送信機能の一種であるが、両者の区別のため、インターネットファクシミリ送信機能には、ダイレクトＳＭＴＰ送信機能を含まないものとする。
【０００７】
このように、リアルタイム送信設定が有効でダイレクトＳＭＴＰ送信機能により電子メール通信を行う場合には、電話帳に登録されているグローバルＩＰアドレスに基づいて通信を行い、リアルタイム送信設定が無効でインターネットファクシミリ送信機能により電子メール通信を行う場合には、先の電話帳と同一の電話帳に登録されているメールアドレスに基づいて通信を行うので、ダイレクトＳＭＴＰ送信機能を使用する場合とインターネットファクシミリ送信機能を使用する場合とで電話帳を選択する必要がないので、使い勝手がよい。また、電話帳の１の宛先にグローバルＩＰアドレスとメールアドレスとが登録されている場合には、グローバルＩＰアドレスとメールアドレスとのうち適切なものが自動的に用いられるので使い勝手がよい。さらに、ファクシミリ通信モードで、スキャナ送信機能を使用するか又はメモリ送信機能を使用するかの区別と、電子メール通信モードで、ダイレクトＳＭＴＰ送信機能を使用するか又はインターネットファクシミリ送信機能を使用するかの区別を、ともにリアルタイム送信設定が有効であるか否かによって行うので、ファクシミリ通信モードと電子メール通信モードとでインターフェースが共通になり使い勝手がよい。
【０００８】
請求項２に記載のインターネットファクシミリ装置は、請求項１に記載のインターネットファクシミリ装置であって、ダイレクトＳＭＴＰ送信機能により電子メール通信を行う際に、相手先のメールアドレスのみが前記電話帳に登録されている場合には、当該メールアドレスのドメイン名に基づいてＤＤＮＳサーバから相手先のグローバルＩＰアドレスを取得することを特徴としている。
【０００９】
この構成によれば、ダイレクトＳＭＴＰ送信機能により電子メール通信を行う際に、相手先のメールアドレスのみが電話帳に登録されている場合には、当該メールアドレスのドメイン名に基づいてＤＤＮＳサーバから相手先のグローバルＩＰアドレスが取得される。したがって、電話帳に相手先のグローバルＩＰアドレスが登録されていない場合でも、メールアドレスに基づいてグローバルＩＰアドレスを取得して通信を行うことができる。
【００１０】
請求項３に記載のインターネットファクシミリ装置は、請求項２に記載のインターネットファクシミリ装置であって、ダイレクトＳＭＴＰ送信機能による通信を行う場合には、前記電話帳に登録されている宛先のうちグローバルＩＰアドレス及び／又はメールアドレスが記憶されている宛先のみの一覧を表示装置に表示して宛先の選択を促し、インターネットファクシミリ送信機能による通信を行う場合には、前記電話帳に登録されている宛先のうちメールアドレスが記憶されている宛先のみの一覧を表示装置に表示して宛先の選択を促すことを特徴としている。
【００１１】
この構成によれば、ダイレクトＳＭＴＰ送信機能による通信を行う場合には、電話帳に登録されている宛先のうちグローバルＩＰアドレス及び／又はメールアドレスが記憶されている宛先のみの一覧が表示装置に表示されて宛先の選択が促され、インターネットファクシミリ送信機能による通信を行う場合には、電話帳に登録されている宛先のうちメールアドレスが記憶されている宛先のみの一覧が表示装置に表示されて宛先の選択が促されるので、宛先の選択ミスを防止することができる。
【発明を実施するための最良の形態】
【００１２】
以下、図面を参照しつつ、本発明に係るインターネットファクシミリ装置について説明する。インターネットファクシミリ装置１は、ファクシミリ通信機能、電子メール通信機能、スキャン機能、コピー機能、プリント機能、通話機能などを備えた、いわゆるファクシミリ複合機と呼ばれるものである。インターネットファクシミリ装置１は、オフィスなどに設置され、図１に示すように、公衆交換電話網（ＰＳＴＮ：Public Switched Telephone Networks）２及びＬＡＮ３（Local Area Network）に接続される。ＬＡＮ３には、インターネットファクシミリ装置１の他に、クライアントＰＣ（Personal Computer）４やメール・サーバ５なども接続される。また、ＬＡＮ３には、ルータ６も接続され、ＬＡＮ３は、ルータ６を介してインターネット７に接続される。
【００１３】
インターネット７には、ＤＨＣＰ（Dynamic Host Configuration Protocol）サーバ８、ＤＤＮＳ（Dynamic Domain Name System）サーバ９、ＳＭＴＰ（Simple Mail Transport Protocol）サーバ１０などが接続される。ＤＨＣＰサーバ８は、インターネット７に一時的に接続する装置に、グローバルＩＰアドレスなどの通信に必要な情報を自動的に割り当てるものである。また、ＤＤＮＳサーバ９は、ＤＨＣＰサーバ８と連携し、装置のインターネット７への接続が確立された際に、当該装置のドメイン名（ホスト名）とグローバルＩＰアドレスとが対応付けて登録されたＤＮＳレコードを動的に更新するサービスを提供するものである。このＤＤＮＳサーバ９は、ドメイン名を提示してグローバルＩＰアドレスの照会が行われると、ＤＮＳレコードに基づいてグローバルＩＰアドレスを返信する。さらに、ＳＭＴＰサーバ１０は、送信元の装置から電子メールを受け取って送信先の装置に転送するものである。
【００１４】
図２は、インターネットファクシミリ装置１の構成例を示したブロック図である。このインターネットファクシミリ装置１は、図２に示すように、ＣＰＵ（Central Processing Unit）１０１、ＲＯＭ（Read Only Memory）１０２、ＲＡＭ（Random Access Memory）１０３、ＨＤＤ（Hard Disk Drive）１０４、操作部１０５、表示部１０６、原稿読取部１０７、画像処理部１０８、コーデック（ＣＯＤＥＣ：Coder and Decoder）１０９、画像メモリ１１０、プリンタ１１１、ＦＡＸ通信部１１２、及び、ＬＡＮ−Ｉ／Ｆ（Local Area Network Interface）１１３を備えており、各部１０１乃至１１３は、バス（bus）１１４によって通信可能に接続されている。
【００１５】
ＣＰＵ１０１は、ＲＯＭ１０２に記憶されている制御プログラムに従って、インターネットファクシミリ装置１の各部の動作を制御する。ＲＯＭ１０２は、ＣＰＵ１０１によりこのインターネットファクシミリ装置１の各部の動作を制御するための前記制御プログラムなどを記憶する。ＲＡＭ１０３は、インターネットファクシミリ装置１の動作に用いる設定情報などの各種データなどを、読み出し及び書き込みが可能な状態で記憶するものであり、ＣＰＵ１０１のワークエリアとしても機能する。ＨＤＤ１０４は、ファクシミリ機能で送受信した画像データの蓄積などを行うためのものである。なお、後述する電話帳１０４ａもこのＨＤＤ１０４に記憶されている。
【００１６】
操作部１０５は、図示しないが、原稿の読み取り（スキャン）動作の開始を指示するためのスタートキー、ファクシミリ番号、コピー部数などを入力するためのテンキー、文字の入力を行うための文字入力キー、操作対象を指定するためのカーソルキーなどを備えている。なお、操作部１０５は、後述するリアルタイム送信の設定の有効／無効を切り替えるリアルタイム送信ボタン１０５ａも備えている。表示部１０６は、各種の設定状態や自装置１の動作状態などを文字や図形などで表示するタッチパネル式の液晶表示装置（ＬＣＤ：Liquid Crystal Display）（オペレーションパネル）や、点灯又は消灯で表示するＬＥＤ（Light Emitting Diode）ランプなどを備えている。操作部１０５が備える各キーの操作や表示部１０６が備える液晶表示装置のパネルのタップに応じて液晶表示装置の表示が変化し、この液晶表示装置の表示に対応した操作部１０５の各キーへの操作や液晶表示装置のパネルのタップにより各種の入力を行うことができる。
【００１７】
原稿読取部１０７は、原稿の画像を読み取って画像データを生成するものであり、図示しないが、例えば、透明な原稿載置板に載置された原稿を読み取るフラット・ベッド・スキャナ（ＦＢＳ：Flat Bed Scanner）や、原稿トレイに載置された原稿を読み取るべく、その原稿を搬送する自動原稿給送装置（ＡＤＦ：Automatic Document Feeder）を備えている。
【００１８】
画像処理部１０８は、原稿読取部１０７から出力された画像データに対して、色調整、色空間変換、２値化等の処理を行うものである。コーデック１０９は、画像処理部１０８等によって処理された画像データを符号化（エンコード）し、また、符号化された画像データを復号（デコード）するものである。コーデック１０９に入力された画像データは、ＪＰＥＧ、ＭＨ、ＭＲ、ＭＭＲ、ＪＢＩＧ方式等に基づいて符号化され、画像メモリ１１０に記憶される。また、コーデック１０９によって符号化された画像データは、さらに、画像処理部１０８において、ＴＩＦＦ（Tagged Image File Format）−Ｓファイルなどの画像ファイルに形成されてＨＤＤ１０４に記憶される。
【００１９】
プリンタ１１１は、画像メモリ１１０から読み出され、コーデック１０９によって復号された画像データを印刷出力するものである。
【００２０】
ＦＡＸ通信部１１２は、原稿の画像データをファクシミリ（ＦＡＸ）通信するものであり、図示しないが、モデム（ＭＯＤＥＭ：MOdulator-DEModulator）及びＮＣＵ（Network Control Unit）を備えている。モデムは、例えばＩＴＵ−Ｔ（国際電気通信連合電気通信標準化部門）の勧告Ｖ．３４規格又はこれと同様のものに従った送受信データの変調及び復調を行うものである。ＮＣＵは、電話回線を制御して電話をかけたり、切ったりする回線網制御装置でありＰＳＴＮ２に接続される。ＰＳＴＮ２には、インターネットファクシミリ装置１の他にＧ３ファクシミリ装置１１などが通信可能に接続され、インターネットファクシミリ装置１は、Ｇ３ファクシミリ装置１１などとの間で画像データをファクシミリ通信により送信又は受信することが可能である。
【００２１】
ＬＡＮ−Ｉ／Ｆ１１３は、インターネットファクシミリ装置１をＬＡＮ３に接続可能にするものである。ＬＡＮ３には、クライアントＰＣ４なども接続され、インターネットファクシミリ装置１は、クライアントＰＣ４などとの間でデータの通信が可能である。また、インターネットファクシミリ装置１は、ＬＡＮ３及びルータ６を介して、インターネット７上に設けられたその他のインターネットファクシミリ装置１２などと接続され、インターネットファクシミリ装置１２などとの間で、ＴＩＦＦ−Ｓ形式のファイル（画像データ）を添付した電子メールをＳＭＴＰ（Simple Mail Transfer Protocol）で送受信することができる。
【００２２】
このようなインターネットファクシミリ装置１では、通常のファクシミリ通信モードでは、スキャナ送信機能による通信とメモリ送信機能による通信を行うことができる。スキャナ送信機能とは、原稿読取部１０７が備えるスキャナで原稿の画像を読み取とって画像データを生成しつつ、生成した画像データをリアルタイムで相手装置にファクシミリ通信で送信する機能である。一方、メモリ送信機能とは、原稿読取部１０７のスキャナで原稿の画像を読み取って生成した画像データを、一旦、画像メモリ１１０に記憶し、すべての原稿の画像の読み取りが終了してから、画像メモリ１１０に記憶されている画像データを相手装置にファクシミリ通信で送信する機能である。
【００２３】
また、インターネットファクシミリ装置１は、電子メール通信モードでは、ダイレクトＳＭＴＰ送信機能による通信とインターネットファクシミリ送信機能による通信を行うことができる。ダイレクトＳＭＴＰ送信機能とは、ＳＭＴＰサーバ１０を介さずに、グローバルＩＰアドレスに基づいて相手装置と直接的に通信接続を確立し、原稿読取部１０７のスキャナで原稿の画像を読み取って生成したＴＩＦＦ−Ｓ形式の画像ファイルが添付された電子メールをリアルタイムでＳＭＴＰにより送信する機能である。一方、インターネットファクシミリ送信機能とは、原稿読取部１０７のスキャナで原稿の画像を読み取って生成したＴＩＦＦ−Ｓ形式の画像ファイルが添付された電子メールを、ＳＭＴＰサーバ１０を介して相手装置にＳＭＴＰにより送信する機能である。なお、ダイレクトＳＭＴＰ送信機能は、インターネットファクシミリ送信機能の一種であるが、以下の説明においては、両者の区別のため、インターネットファクシミリ送信機能には、ダイレクトＳＭＴＰ送信機能を含まないものとする。
【００２４】
さらに、インターネットファクシミリ装置１では、操作部１０５が備えるリアルタイム送信ボタン１０５ａを操作することにより、リアルタイム送信設定の有効と無効とを切り替えることができる。そして、通常のファクシミリ通信モードにおいて、リアルタイム送信設定が有効であればスキャナ送信機能による通信を行い、リアルタイム送信設定が無効であればメモリ送信機能による通信を行う。一方、電子メール通信モードにおいて、リアルタイム送信設定が有効であればダイレクトＳＭＴＰ送信機能による通信を行い、リアルタイム送信設定が無効であればインターネットファクシミリ送信機能による通信を行う。
【００２５】
また、インターネットファクシミリ装置１では、通常のファクシミリ通信モード及び電子メール通信モードにおいて、原稿の画像の通信を行う場合は、ＨＤＤ１０４に記録されている電話帳１０４ａに基づいて送信の宛先を選択することができる。この電話帳１０４ａには、宛先毎に、ファックス番号、メールアドレス、グローバルＩＰアドレスの少なくとも１つが登録されている。そして、通常のファクシミリ通信モードでは、電話帳１０４ａに登録されているファックス番号に基づいて、スキャナ送信機能による通信又はメモリ送信機能による通信が行われる。一方、電子メール通信モードでは、電話帳１０４ａに登録されているメールアドレスに基づいて、インターネットファクシミリ送信機能による通信が行われる。また、電子メール通信モードにおいてダイレクトＳＭＴＰ送信機能による通信を行うに際しては、電話帳１０４ａに登録されているグローバルＩＰアドレスに基づいて通信を行う。なお、インターネットファクシミリ装置１は、ＤＤＮＳクライアント機能を備えており、電子メール通信モードにおいてダイレクトＳＭＴＰ送信機能による通信を行うに際し、電話帳１０４ａにメールアドレスのみが登録されている場合には、メールアドレスのドメイン名に基づいてＤＤＮＳサーバ９に問い合わせを行ってグローバルＩＰアドレスを取得し、取得したグローバルＩＰアドレスに基づいて通信を行う。
【００２６】
以下、図３乃至７のフローチャートを参照して、インターネットファクシミリ装置１において、スキャナ送信機能、メモリ送信機能、ダイレクトＳＭＴＰ送信機能、及び、インターネットファクシミリ送信機能の各機能によって通信を行う場合に、ＣＰＵ１０１が実行する処理の例を説明する。なお、図３乃至７のフローチャートに示す各処理は、その実行の順番を変更しても本発明を実施できる場合には、実行の順番を変更してもかまわない。
【００２７】
まず、図３を参照して、利用者がインターネットファクシミリ装置１の操作部１０５に対してファクシミリ通信モードで通信する操作を行うと、ＣＰＵ１０１は、ファクシミリ通信モードであると判断し（ステップＳ１：ＹＥＳ）、リアルタイム送信の設定が有効であるか否かを判断する（ステップＳ２）。そして、リアルタイム送信の設定が有効であると判断すると（ステップＳ２：ＹＥＳ）、スキャナ送信処理を実行する（ステップＳ３）。一方、リアルタイム送信の設定が有効でない、つまり無効であると判断すると（ステップＳ２：ＮＯ）、メモリ送信処理を実行する（ステップＳ４）。また、利用者が操作部１０５に対して電子メールモードで通信する操作を行うと、ＣＰＵ１０２は、電子メール通信モードであると判断し（ステップＳ５：ＹＥＳ）、リアルタイム送信の設定が有効であるか否かを判断する（ステップＳ６）。そして、リアルタイム送信の設定が有効であると判断すると（ステップＳ６：ＹＥＳ）、ダイレクトＳＭＴＰ送信処理を実行する（ステップＳ７）。一方、リアルタイム送信の設定が有効でないと判断すると（ステップＳ６：ＮＯ）、インターネットファクシミリ送信処理を実行する（ステップＳ８）。
【００２８】
図４を参照して、スキャナ送信処理では、まず、ＣＰＵ１０１は、表示部１０６に電話帳１０４ａを表示させ、ファクシミリを送信する宛先の選択の受け付けを行う（ステップＳ１１）。表示部１０６には、電話帳１０４ａに登録されている宛先の一覧が、例えば、あいうえお順に表示され、利用者は、表示部１０６のタッチパネルをタップすることによって宛先を選択する。利用者によって宛先が選択されると、ＣＰＵ１０１は、選択された宛先に対応つけて登録されたファックス番号が存在するか否かを判断する（ステップＳ１２）。ファックス番号が存在しないと判断すると（ステップＳ１２：ＮＯ）、エラー処理を実行する（ステップＳ１３）。このエラー処理では、選択された宛先にはファックス番号が登録されていない旨のメッセージを表示部１０６に表示するとともに、警告音を図示しないスピーカから出力する。
【００２９】
一方、ファックス番号が存在すると判断すると（ステップＳ１２：ＹＥＳ）、選択された宛先に対応つけて登録されているファクス番号を受け付ける（ステップＳ１４）。ファックス番号を受け付けると、次に、ＣＰＵ１０１は、受け付けたファックス番号を元に発呼を行って、相手装置との間に通信接続を確立する（ステップＳ１５）。通信接続を確立すると、次に、ＣＰＵ１０１は、原稿読取部１０７に原稿が存在するか否かを判断する（ステップＳ１６）。そして、原稿が存在すると判断すると（ステップＳ１６：ＹＥＳ）、原稿読取部１０７を駆動して原稿の画像を読み取って（ステップＳ１７）画像データを生成し、生成した画像データをリアルタイムで相手装置に送信する（ステップＳ１８）。こうして、原稿読取部１０７に原稿が存在しないと判断する（ステップＳ１６：ＮＯ）まで、原稿の読み取り、画像データの生成、及び、画像データの送信を繰り返す。そして、原稿読取部１０７に原稿が存在しないと判断すると（ステップ１６：ＮＯ）、相手装置との間の通信接続を切断して（ステップＳ１９）、スキャナ送信処理を終了する。
【００３０】
図５を参照して、メモリ送信処理では、まず、ＣＰＵ１０１は、表示部１０６に電話帳１０４ａを表示させ、ファクシミリを送信する宛先の選択の受け付けを行う（ステップＳ２１）。表示部１０６には、電話帳１０４ａに登録されている宛先の一覧が、例えば、あいうえお順に表示され、利用者は、表示部１０６のタッチパネルをタップすることによって宛先を選択する。利用者によって宛先が選択されると、ＣＰＵ１０１は、選択された宛先に対応つけて登録されたファックス番号が存在するか否かを判断する（ステップＳ２２）。ファックス番号が存在しないと判断すると（ステップＳ２２：ＮＯ）、エラー処理を実行する（ステップＳ２３）。このエラー処理では、選択された宛先にはファックス番号が登録されていない旨のメッセージを表示部１０６に表示するとともに、警告音を図示しないスピーカから出力する。
【００３１】
一方、ファックス番号が存在すると判断すると（ステップＳ２２：ＹＥＳ）、選択された宛先に対応つけて登録されているファクス番号を受け付ける（ステップＳ２４）。ファックス番号を受け付けると、次に、ＣＰＵ１０１は、原稿読取部１０７に原稿が存在するか否かを判断する（ステップＳ２５）。そして、原稿読取部１０７に原稿が存在すると判断する（ステップＳ２５：ＹＥＳ）間は、原稿読取部１０７を駆動して原稿の画像を読み取って（ステップＳ２６）画像データを生成する。こうして生成された画像データは、画像メモリ１１０に蓄積される。次に、原稿読取部１０７に原稿が存在しないと判断すると（ステップＳ２４：ＮＯ）、ＣＰＵ１０１は、ステップＳ２４において受け付けたファックス番号を元に発呼を行って、相手装置との間に通信接続を確立し（ステップＳ２７）、画像メモリ１１０に蓄積されている画像データを相手装置に向けて送信する（ステップＳ２８）。そして、画像データの送信を終えると、相手装置との通信接続を切断して（ステップＳ２９）、メモリ送信処理を終了する。
【００３２】
図６を参照して、ダイレクトＳＭＴＰ送信処理では、まず、ＣＰＵ１０１は、表示部１０６に電話帳１０４ａを表示させ、電子メールを送信する宛先の選択の受け付けを行う（ステップＳ３１）。表示部１０６には、電話帳１０４ａに登録されている宛先の一覧が、例えば、あいうえお順に表示される。このとき、表示部１０６には、グローバルＩＰアドレス及び／又はメールアドレスが対応つけて登録されている宛先のみの一覧を表示する。そして、利用者は、表示部１０６のタッチパネルをタップすることによって宛先を選択する。利用者によって宛先が選択されると、ＣＰＵ１０１は、選択された宛先に対応つけて登録されたグローバルＩＰアドレスが存在するか否かを判断する（ステップＳ３２）。グローバルＩＰアドレスが登録されていると判断すると（ステップＳ３２：ＹＥＳ）、選択された宛先に対応つけて登録されているグローバルＩＰアドレスを受け付ける（ステップＳ３３）。一方、グローバルＩＰアドレスが登録されていないと判断すると（ステップＳ３２：ＮＯ）、選択された宛先に対応つけて登録されているメールアドレスを受け付け（ステップＳ３４）、受け付けたメールアドレスのドメイン名をＤＤＮＳサーバ９に送信し、その応答として相手装置のグローバルＩＰアドレスを取得する（ステップＳ３５）。
【００３３】
ステップＳ３３におけるグローバルＩＰアドレスの受け付け、又は、ステップＳ３５におけるグローバルＩＰアドレスの取得が完了すると、次に、ＣＰＵ１０１は、原稿読取部１０７に原稿が存在するか否かを判断する（ステップＳ３６）。そして、原稿読取部１０７に原稿が存在すると判断する（ステップＳ３６：ＹＥＳ）間は、原稿読取部１０７を駆動して原稿の画像を読み取って（ステップＳ３７）画像データを生成する。こうして生成された画像データは、画像メモリ１１０に蓄積される。次に、原稿読取部１０７に原稿が存在しないと判断すると（ステップＳ３６：ＮＯ）、ＣＰＵ１０１は、画像メモリ１１０に蓄積されている画像データを元に、ＴＩＦＦ−Ｓ方式の画像ファイルを生成し（ステップＳ３８）、さらに、電子メールを生成して（ステップＳ３９）ＴＩＦＦ−Ｓ方式の画像ファイルを電子メールに添付する（ステップＳ４０）。こうして送信する電子メールが完成すると、ＣＰＵ１０１は、ステップＳ３３において受け付けたグローバルＩＰアドレス、又は、ステップＳ３５において取得したグローバルＩＰアドレスに基づいて、相手装置との間に通信接続を確立し（ステップＳ４１）、ＳＭＴＰによって、画像ファイルが添付された電子メールを送信する（ステップＳ４２）。電子メールの送信が完了すると、相手装置との間の通信接続を切断し（ステップＳ４３）、ダイレクトＳＭＴＰ送信処理を終了する。
【００３４】
図７を参照して、インターネットファクシミリ送信処理では、まず、ＣＰＵ１０１は、表示部１０６に電話帳１０４ａを表示させ、電子メールを送信する宛先の選択の受け付けを行う（ステップＳ５１）。表示部１０６には、電話帳１０４ａに登録されている宛先の一覧が、例えば、あいうえお順に表示される。このとき、表示部１０６には、メールアドレスが対応つけて登録されている宛先のみの一覧を表示する。そして、利用者は、表示部１０６のタッチパネルをタップすることによって宛先を選択する。利用者によって宛先が選択されると、ＣＰＵ１０１は、選択された宛先に対応つけて登録されたメールアドレスを受け付ける（ステップＳ５２）。
【００３５】
メールアドレスを受け付けると、次に、ＣＰＵ１０１は、原稿読取部１０７に原稿が存在するか否かを判断する（ステップＳ５３）。そして、原稿読取部１０７に原稿が存在すると判断する（ステップＳ５３：ＹＥＳ）間は、原稿読取部１０７を駆動して原稿の画像を読み取って（ステップＳ５４）画像データを生成する。こうして生成された画像データは、画像メモリ１１０に蓄積される。次に、原稿読取部１０７に原稿が存在しないと判断すると（ステップＳ５３：ＮＯ）、ＣＰＵ１０１は、画像メモリ１１０に蓄積されている画像データを元に、ＴＩＦＦ−Ｓ方式の画像ファイルを生成し（ステップＳ５５）、さらに、電子メールを生成して（ステップＳ５６）ＴＩＦＦ−Ｓ方式の画像ファイルを当該電子メールに添付する（ステップＳ５７）。ステップＳ５６で生成された電子メールの宛先欄には、ステップＳ５２で受け付けたメールアドレスが記載される。そして、画像ファイルが添付された電子メールを、ＳＭＴＰサーバ１０を介して相手装置に送信し（ステップＳ５８）、インターネットファクシミリ送信処理を終了する。
【００３６】
以上に説明したように、本発明のインターネットファクシミリ装置１によれば、リアルタイム送信設定が有効でダイレクトＳＭＴＰ送信機能により電子メール通信を行う場合には、電話帳１０４ａに登録されているグローバルＩＰアドレス、又は、電話帳１０４ａに登録されているメールアドレスに基づいて取得したグローバルＩＰアドレスを宛先として通信を行い、リアルタイム送信設定が無効でインターネットファクシミリ送信機能により電子メール通信を行う場合には、電話帳１０４ａに登録されているメールアドレスを宛先として通信を行う。したがって、電話帳１０４ａは１つであり、ダイレクトＳＭＴＰ送信機能を使用する場合とインターネットファクシミリ送信機能を使用する場合とで電話帳１０４ａを選択する必要がないので使い勝手がよい。また、電話帳１０４ａの１の宛先にグローバルＩＰアドレスとメールアドレスとが登録されている場合には、グローバルＩＰアドレスとメールアドレスとのうち適切なものが自動的に用いられるので使い勝手がよい。さらに、ファクシミリ通信モードでスキャナ送信機能を使用するか又はメモリ送信機能を使用するかの区別と、電子メール通信モードでダイレクトＳＭＴＰ送信機能を使用するか又はインターネットファクシミリ送信機能を使用するかの区別を、ともに、リアルタイム送信ボタン１０５ａの操作によって切り替えられるリアルタイム送信設定の有効／無効によって行うので、ファクシミリ通信モードと電子メール通信モードとでインターフェースが共通になり使い勝手がよい。
【００３７】
なお、本発明の実施の形態は上述の形態に限らず、発明の思想の範囲内で、種々に変更することができる。例えば、上述の例では、ダイレクトＳＭＴＰ送信機能により通信する際に使用されるメールアドレスとインターネットファクシミリ送信機能により通信する際に使用されるメールアドレスは、別段区別されることなく電話帳１０４ａに登録されているが、これらのメールアドレスを区別して電話帳１０４ａに登録するようにしてもよい。このようにすれば、ダイレクトＳＭＴＰ送信機能により通信する際には、ダイレクトＳＭＴＰ送信機能による通信に使用されるメールアドレスが登録された宛先のみを表示部１０６に表示し、インターネットファクシミリ送信機能により通信する際には、インターネットファクシミリ送信機能による通信に使用されるメールアドレスが登録された宛先のみを表示部１０６に表示して、利用者に宛先の選択を促すことができるので、宛先の選択のミスの発生をさらに抑制することができる。
【産業上の利用可能性】
【００３８】
本発明は、例えば、ファクシミリ通信におけるメモリ送信機能とスキャナ送信機能、及び、電子メール通信におけるインターネットファクシミリ送信機能とダイレクトＳＭＴＰ送信機能を備えたインターネットファクシミリ装置に適用可能である。
【図面の簡単な説明】
【００３９】
【図１】本発明に係るインターネットファクシミリ装置１が設置されるネットワークの構成例を示す説明図である。
【図２】インターネットファクシミリ装置１の構成例を示すブロック図である。
【図３】インターネットファクシミリ装置１において、ファクシミリ通信又は電子メール通信を行う場合に、ＣＰＵ１０１が実行する処理の例を示すフローチャートである。
【図４】スキャナ送信処理を実行する場合に、ＣＰＵ１０１が実行する処理の例を示すフローチャートである。
【図５】メモリ送信処理を実行する場合に、ＣＰＵ１０１が実行する処理の例を示すフローチャートである。
【図６】ダイレクトＳＭＴＰ送信処理を実行する場合に、ＣＰＵ１０１が実行する処理の例を示すフローチャートである。
【図７】インターネットファクシミリ送信処理を実行する場合に、ＣＰＵ１０１が実行する処理の例を示すフローチャートである。
【符号の説明】
【００４０】
１        インターネットファクシミリ装置
１０１    ＣＰＵ
１０３    ＲＡＭ
１０５    操作部
１０５ａ  リアルタイム送信ボタン
１０６    表示部
１０７    原稿読取部
【図１】
2008263334.tif 000003
【図２】
2008263334.tif 000004
【図３】
2008263334.tif 000005
【図４】
2008263334.tif 000006
【図５】
2008263334.tif 000007
【図６】
2008263334.tif 000008
【図７】
2008263334.tif 000009